(57)【特許請求の範囲】
【請求項１】
本体キャビネットの内側を断熱区画して形成した収納庫内に、庫内の空気を吸引して循環する庫内ファンと、該空気を加熱するヒータもしくは冷却ユニットより循環される冷媒との熱交換により前記空気を冷却する蒸発器と、前記加熱もしくは冷却された空気が庫内の所定の場所から吹出すように案内するダクトおよび庫内ファンにより吸引した空気をヒータもしくは蒸発器を通して前記ダクトに導く風洞とを備え、庫内の商品を保冷、もしくは保温する自動販売機において、
前記風洞は、前記蒸発器の前方に間隔を開けて対向配備する庫内ファンの取付面を有し、かつ蒸発器の上方をカバ−してダクトまで延在させた上面の端部に前記ダクトに設けた係合部に係合する係合片を設け、該係合片をダクトの係合部に係合させるとともに、庫内ファンが取付けられた取付面の側面には前記蒸発器の外枠に対向する位置に外向きに折り曲げて形成した座を設け、庫内ファンが取付けられた取付面側の下端を前方に折り曲げて形成した座を設けて、庫内ファンが取付けられた取付面側の下端を前方に折り曲げて形成した座を収納庫の床面に一個所のみで固着して風洞を固定することを特徴とする自動販売機。
【発明の詳細な説明】
【０００１】
【発明の属する技術分野】
この発明は、本体キャビネットの内側を断熱区画して形成した収納庫内で商品を保冷もしくは保温して販売に供する自動販売機に関する。
【０００２】
【従来の技術】
缶入り飲料等を販売する自動販売機は、本体キャビネットの内側を断熱区画して収納庫を形成し、庫内の商品収納棚に商品を積み重ねて収納し、下部に庫内の空気を吸引して循環する庫内ファンと、該空気を加熱するヒータと、前記ヒータをオフにして冷却ユニットより循環される冷媒をそこで蒸発させ、熱交換により前記空気を冷却する蒸発器と、前記加熱もしくは冷却された空気が庫内の所定の場所から吹出すように案内するとともに前記蒸発器を取付ける取付面を兼ねたダクトとを備えて、庫内の商品を保冷、もしくは保温している。
【０００３】
上記で庫内ファンから蒸発器、およびダクトを通して庫内空気を循環する際に、従来の構成では、前記蒸発器に対向する面を開口した箱形の風洞を設けて、該風洞の前面を庫内ファンの取付部にするとともに、下端を前方に折り曲げて前記床面にねじ止めし、蒸発器の外枠に当接する側面にも外向きの折り曲げ部を形成して蒸発器の外枠にねじ止めし、上面は蒸発器の上部を跨いでダクトまで延在させるとともに、その端部を上向きに折り曲げて前記ダクトにねじ止めしていた。
【０００４】
【発明が解決しようとする課題】
従来の構成では、庫内ファンから蒸発器、およびダクトを通して循環する庫内空気を効率良く蒸発器に導くための風洞は収納庫の床面、および蒸発器の外枠、ダクトのそれぞれの個所にねじ止めされているのでねじ止め個所が多く、ねじ止めに手間がかかるばかりでなく、ダクトへのねじ止めは庫内の奥側での作業になるので作業性が悪いという欠点を有する。
【０００５】
この発明は上記課題を解決するためになされたもので、その目的とするところは、風洞をねじ止めする個所を減らすとともに取付の作業性を改善した自動販売機を提供することにある。
【０００６】
【課題を解決するための手段】
上記課題を解決するためにこの発明は、本体キャビネットの内側を断熱区画して形成した収納庫内に、庫内の空気を吸引して循環する庫内ファンと、該空気を加熱するヒータもしくは冷却ユニットより循環される冷媒との熱交換により前記空気を冷却する蒸発器と、前記加熱もしくは冷却された空気が庫内の所定の場所から吹出すように案内するダクトおよび庫内ファンにより吸引した空気をヒータもしくは蒸発器を通して前記ダクトに導く風洞とを備え、庫内の商品を保冷、もしくは保温する自動販売機において、前記風洞は、前記蒸発器の前方に間隔を開けて対向配備する庫内ファンの取付面を有し、かつ蒸発器の上方をカバ−してダクトまで延在させた上面の端部に前記ダクトに設けた係合部に係合する係合片を設け、該係合片をダクトの係合部に係合させるとともに、庫内ファンが取付けられた取付面の側面には前記蒸発器の外枠に対向する位置に外向きに折り曲げて形成した座を設け、庫内ファンが取付けられた取付面側の下端を前方に折り曲げて形成した座を設けて、庫内ファンが取付けられた取付面側の下端を前方に折り曲げて形成した座を収納庫の床面に一個所のみで固着して風洞を固定することを特徴とする。
【０００７】
上記構成により風洞の取付はダクトまで延在させた上面の先端に設けた係合片をダクトの係合部に係合させるとともに、庫内ファンが取付けられた取付面側を収納庫の床面に固着することで完了するのでねじ止めの個所を減じ、かつ取付の作業性を改善することが可能になる。
【０００８】
【発明の実施の形態】
図１はこの発明の実施の形態の主要部の構成図を示し、図２はこの発明が適用される自動販売機の側断面図を示す。この図１、図２において、１は自動販売機の外箱を形成する本体キャビネット、２は本体キャビネット１の内部を断熱区画して形成した収納庫、３は缶入り飲料を横一列に積み上げて収納した商品通路を前後に重ねて構成し各通路の下部に商品払い出し機構を備えた商品収納棚、４は庫内ファン５の取付面を有し、該庫内ファンで吸引した庫内の空気を蒸発器６を通してダクト７に送風する風洞、４ａは該風洞４の前面の下端を前方に折り曲げてねじ孔４ｄを穿孔した座、４ｂは該風洞４の側面の蒸発器６に対向する部位を外向きに折り曲げて形成した座、４ｃは該風洞４の上面をダクト７まで延在させてその先端に設けた係合片としての爪、７ａは前記係合片４ｃが挿通される係合部としての穴、８は蒸発器６に冷媒を循環する冷却ユニットを示す。この図１、図２において、庫内ファン５を前面に取付けた風洞４は、蒸発器６の熱交換部分より若干大き目の幅に設定されており側面を折り曲げた座４ｂを蒸発器６の外枠に対向配備し、上面で蒸発器６の上方を覆い庫内ファン５からの送風の殆どが蒸発器６を通してダクト７に導かれるように形成される。そして、風洞４本体は上面の端部の爪４ｃをダクト７の穴７ａに挿入して係止し、前面の座４ａのねじ孔４ｄにねじを挿通して収納庫の床面にねじ止めして固定されている。
【０００９】
上記構成において、本体キャビネット１の内側を断熱区画して形成した収納庫２の商品収納棚３に収納された商品は、庫内ファン５により吸引されてヒータ（図示せず）により加熱もしくは、ヒータをオフにして蒸発器６で冷却されて、温風もしくは冷風になりダクト７を通して庫内に吹出した循環気流により、保温、もしくは保冷されている。
なお、蒸発器６には、圧縮機と凝縮器とからなる冷却ユニット８から冷媒が循環される。
【００１０】
【発明の効果】
この発明によれば、庫内空気を循環する風洞はダクトに係止して取付けられており、固定のためのねじは前面の座の一個所のみであるので、風洞を取付ける作業が容易になるととともにねじ止めの作業工数を削減する効果がある。
【図面の簡単な説明】
【図１】この発明の実施の形態の主要部分の構成図
【図２】この発明が適用される自動販売機の側断面図
【符号の説明】
１            本体キャビネット
２            収納庫
３            商品収納棚
４            風洞
４ａ、４ｂ    座
４ｃ          爪
４ｄ          孔
５            庫内ファン
６            蒸発器
７            ダクト
７ａ          穴
８            冷却ユニット
【図１】
0003783505.tif 000002
【図２】
0003783505.tif 000003